【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
ペット型又は漫画等のキャラクタ型の有体物であって、
一つ又は複数の「自ら（ペット型又は漫画等のキャラクタ型の有体物）又はその内部に生存する電子生物（前記ペット型又は漫画等のキャラクタ型の有体物の仮想的な分身となる電子生物を含む）が主体となっており他のペット型又は漫画等のキャラクタ型の有体物又はその内部に生存する他の有体物又は電子生物（前記他のペット型又は漫画等のキャラクタ型の有体物の分身となる他の有体物又は電子生物を含む）が相手方となっているメッセージ（ここでの『メッセージ』は『鳴き声によるメッセージ』を含む。以下同じ。）」を、記憶する又は記憶しておくメッセージ記録手段と、
前記メッセージ記録手段に記憶された「自ら（ペット型又は漫画等のキャラクタ型の有体物）又はその内部に生存する電子生物が主体となっており他のペット型又は漫画等のキャラクタ型の有体物又はその内部に生存する他の有体物又は電子生物が相手方となっているメッセージ」を乗せた若しくは一体化した、電波もしくは赤外線」を、近距離無線がカバーする範囲内の近傍に存在する他のペット型又は漫画等のキャラクタ型の有体物に、インターネットなどの公衆ネットワークを介すること無く直接に届くように、事前の設定又は事前の操作に基づいて、「送信時におけるユーザーによる特別な操作」を介すること無く自動的に、インターネットなどの公衆ネットワークを介すること無く近距離無線のみにより、発信する電波等発信手段と、
他のペット型又は漫画等のキャラクタ型の有体物から発信された「他のペット型又は漫画等のキャラクタ型の有体物又はその内部に生存する他の有体物又は電子生物が主体となっており、自ら（ペット型又は漫画等のキャラクタ型の有体物）又はその内部に生存する電子生物が相手方となっているメッセージ」を乗せた若しくは一体化した、電波もしくは赤外線」を、インターネットなどの公衆ネットワークを介すること無く近距離無線のみにより直接に、受信する電波等受信手段と、
前記電波等受信手段が受信した電波等に基づいて取得した、前記「他のペット型又は漫画等のキャラクタ型の有体物又はその内部に生存する他の有体物又は電子生物が主体となっており、自ら（ペット型又は漫画等のキャラクタ型の有体物）又はその内部に生存する電子生物が相手方となっているメッセージ」を、出力する出力手段と、
を備えたことを特徴とする、ペット型又は漫画等のキャラクタ型の有体物。
【請求項２】
ペット型又は漫画等のキャラクタ型の有体物であって、
自ら（有体物）又はその内部で生存または活動している電子生物（以下「自らの有体物又は電子生物」という。なお、「電子生物」は「電子的人間キャラクタ」を含む。）と他の有体物又はその内部で生存又は活動している電子生物（以下「他の有体物又は電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「自らの有体物又は電子生物から他の有体物又は電子生物へ伝達される、自らの有体物又は電子生物の思想、感情又は意思を含む情報である、メッセージ」、（ｂ）自らの有体物又は電子生物若しくはそのユーザーの名前、顔などの画像、鳴き声、誕生日、星座、血液型、年齢、好きな食べ物、好きな遊び、若しくはその他のプロフィールなどの「自らの有体物又は電子生物から他の有体物又は電子生物へ伝達される、自らの有体物又は電子生物の思想、感情若しくは意思を含まない、自らの有体物又は電子生物若しくはそのユーザーに関する事実又はそれを示す情報」、又は（ｃ）ジャンケン・ゲームにおけるグー、チョキ及びパーのいずれか１つ、又はＡＢＣ３回戦ゲームにおけるＡ、Ｂ及びＣのいずれか１つなどの「自らの有体物又は電子生物から他の有体物又は電子生物へ伝達される、自らの有体物又は電子生物の思想、感情若しくは意思を含まない、何らかの意味を有する単語又はそれを示す情報」を含み、情報の形態又は種類としては、文字、画像、音声又は音響を含む。）を記憶する、記憶しておく、又は予め記憶しておいた内容から特定若しくは取得する伝達情報記憶等手段と、
「自らの有体物又は電子生物の名前若しくは画像（前記名前若しくは画像は、前記伝達情報記憶等手段に記憶されているものであってもよい。）又はそれを示す情報」と「前記伝達情報記憶等手段により特定又は取得された情報又はそれを示す若しくはそれから得られた情報であって、『自らの有体物又は電子生物が主体となって相手方である他の有体物又は電子生物に向けて伝達する伝達情報』としての一つ若しくは複数の伝達情報、又はそれを示す若しくはそれから得られた情報」とを乗せた若しくは一体化した電波又は赤外線を、「発信時におけるユーザーによる特別な操作」によることなく自動的に、且つ、近距離無線がカバーする近傍に実際に存在する有体物に、インターネットなどの公衆通信網を介することなく直接に届くように、インターネットなどの公衆通信網を介することなく近距離無線のみにより、発信する電波等発信手段と、
他の有体物から近距離無線のみにより発信された前記のような電波又は赤外線を、インターネットなどの公衆通信網を介することなく近距離無線のみにより直接に、受信する電波等受信手段と、
を備えたことを特徴とする、ユーザーにより携帯可能なタイプの、ペット型又は漫画等のキャラクタ型の有体物。
【請求項３】
ペット型又は漫画等のキャラクタ型の有体物であって、
自ら（有体物）又はその内部で生存または活動している電子生物（以下「自らの有体物又は電子生物」という。なお、「電子生物」は「電子的人間キャラクタ」を含む。）と他の有体物又はその内部で生存又は活動している電子生物（以下「他の有体物又は電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「自らの有体物又は電子生物から他の有体物又は電子生物へ伝達される、自らの有体物又は電子生物の思想、感情又は意思を含む情報である、メッセージ」、（ｂ）自らの有体物又は電子生物若しくはそのユーザーの名前、顔などの画像、鳴き声、誕生日、星座、血液型、年齢、好きな食べ物、好きな遊び、若しくはその他のプロフィールなどの「自らの有体物又は電子生物から他の有体物又は電子生物へ伝達される、自らの有体物又は電子生物の思想、感情若しくは意思を含まない、自らの有体物又は電子生物若しくはそのユーザーに関する事実又はそれを示す情報」、又は（ｃ）ジャンケン・ゲームにおけるグー、チョキ及びパーのいずれか１つ、又はＡＢＣ３回戦ゲームにおけるＡ、Ｂ及びＣのいずれか１つなどの「自らの有体物又は電子生物から他の有体物又は電子生物へ伝達される、自らの有体物又は電子生物の思想、感情若しくは意思を含まない、何らかの意味を有する単語又はそれを示す情報」を含み、情報の形態又は種類としては、文字、画像、音声又は音響を含む。）を記憶する、記憶しておく、又は予め記憶しておいた内容から特定若しくは取得する伝達情報記憶等手段と、
「自らの有体物又は電子生物の名前若しくは画像（前記名前若しくは画像は、前記伝達情報記憶等手段に記憶されたものであってもよいし、前記伝達情報記憶等手段とは別に記録又は入力されたものであってもよい。）又はそれを示す情報」と「前記伝達情報記憶等手段に記憶される若しくは記憶されていた情報又はそれを示す若しくはそれから得られた情報であって、『自らの有体物又は電子生物が主体となって相手方である他の有体物又は電子生物に向けて伝達する伝達情報』としての一つ若しくは複数の伝達情報、又はそれを示とす若しくはそれから得られた情報」とを乗せた若しくは一体化した電波又は赤外線を、「発信時におけるユーザーによる特別な操作」によることなく自動的に、且つ、近距離無線がカバーする近傍に実際に存在する有体物に、インターネットなどの公衆通信網を介することなく直接に届くように、インターネットなどの公衆通信網を介することなく近距離無線のみにより、発信する電波等発信手段と、
他の有体物から近距離無線のみにより発信された前記のような電波又は赤外線を、インターネットなどの公衆通信網を介することなく近距離無線のみにより直接に、受信する電波等受信手段と、
を備えたことを特徴とする、ユーザーにより携帯可能なタイプの、ペット型又は漫画等のキャラクタ型の有体物。
【請求項４】
ペット型又は漫画等のキャラクタ型の有体物であって、
自ら（有体物）又はその内部で生存または活動している電子生物（以下「自らの有体物又は電子生物」という。なお、「電子生物」は「電子的人間キャラクタ」を含む。）と他の有体物又はその内部で生存又は活動している電子生物（以下「他の有体物又は電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「自らの有体物又は電子生物から他の有体物又は電子生物へ伝達される、自らの有体物又は電子生物の思想、感情又は意思を含む情報である、メッセージ」、（ｂ）自らの有体物又は電子生物若しくはそのユーザーの名前、顔などの画像、鳴き声、誕生日、星座、血液型、年齢、好きな食べ物、好きな遊び、若しくはその他のプロフィールなどの「自らの有体物又は電子生物から他の有体物又は電子生物へ伝達される、自らの有体物又は電子生物の思想、感情若しくは意思を含まない、自らの有体物又は電子生物若しくはそのユーザーに関する事実又はそれを示す情報」、又は（ｃ）ジャンケン・ゲームにおけるグー、チョキ及びパーのいずれか１つ、又はＡＢＣ３回戦ゲームにおけるＡ、Ｂ及びＣのいずれか１つなどの「自らの有体物又は電子生物から他の有体物又は電子生物へ伝達される、自らの有体物又は電子生物の思想、感情若しくは意思を含まない、何らかの意味を有する単語又はそれを示す情報」を含み、情報の形態又は種類としては、文字、画像、音声又は音響を含む。）を記憶する、記憶しておく、又は予め記憶しておいた内容から特定若しくは取得する伝達情報記憶等手段と、
「自らの有体物又は電子生物の名前若しくは画像（前記名前若しくは画像は、前記伝達情報記憶等手段に記憶されたものであってもよいし、前記伝達情報記憶等手段とは別に記録又は入力されたものであってもよい。）又はそれを示す情報」を乗せた若しくは一体化した電波又は赤外線を、「発信時におけるユーザーによる特別な操作」によることなく自動的に、且つ、近距離無線がカバーする近傍に実際に存在する有体物に、インターネットなどの公衆通信網を介することなく直接に届くように、インターネットなどの公衆通信網を介することなく近距離無線のみにより、発信する第１電波等発信手段と、
「前記伝達情報記憶等手段により記憶、特定又は取得された情報又はそれを示す若しくはそれから得られた情報であって、『自らの有体物又は電子生物が主体となって相手方である他の有体物又は電子生物に向けて伝達する伝達情報』としての一つ若しくは複数の伝達情報、又はそれを示す若しくはそれから得られた情報」を乗せた若しくは一体化した電波又は赤外線（この「電波または赤外線」は、前記伝達情報等を前記名前若しくは画像又はそれを示す情報と一緒に乗せた若しくは一体化した「電波または赤外線」であってもよいし、前記伝達情報等を前記名前若しくは画像又はそれを示す情報は含まないように乗せた若しくは一体化した「電波または赤外線」であってもよい。）を、「発信時におけるユーザーによる特別な操作」によることなく自動的に、且つ、近距離無線がカバーする近傍に実際に存在する有体物に、インターネットなどの公衆通信網を介することなく直接に届くように、インターネットなどの公衆通信網を介することなく近距離無線のみにより、発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい。）と、
他の有体物から近距離無線のみにより発信された前記のような電波又は赤外線（この「電波または赤外線」は、前記伝達情報等と前記名前若しくは画像又はそれを示す情報とを一緒に乗せた若しくは一体化した「電波または赤外線」であってもよいし、前記伝達情報等と前記名前若しくは画像又はそれを示す情報とを別々に乗せた若しくは一体化した各「電波または赤外線」であってもよい。）を、インターネットなどの公衆通信網を介することなく近距離無線のみにより直接に、受信する電波等受信手段と、
を備えたことを特徴とする、ユーザーにより携帯可能なタイプの、ペット型又は漫画等のキャラクタ型の有体物。
【請求項５】
ペット型又は漫画等のキャラクタ型の有体物であって、
自ら（有体物）又はその内部で生存または活動している電子生物（以下「自らの有体物又は電子生物」という。なお、「電子生物」は「電子的人間キャラクタ」を含む。）と他の有体物又はその内部で生存又は活動している電子生物（以下「他の有体物又は電子生物」という。）との間の「コミュニケーション、すなわち、交流又は交流のための情報伝達」のために使用される一つ若しくは複数の伝達情報（「伝達情報」は、情報の内容としては、（ａ）「こんにちは」、「友達になりましょう」、「ジャンケンしよう」、又は「ＡＢＣ３回戦ゲームしよう」などの、「自らの有体物又は電子生物から他の有体物又は電子生物へ伝達される、自らの有体物又は電子生物の思想、感情又は意思を含む情報である、メッセージ」、（ｂ）自らの有体物又は電子生物若しくはそのユーザーの名前、顔などの画像、鳴き声、誕生日、星座、血液型、年齢、好きな食べ物、好きな遊び、若しくはその他のプロフィールなどの「自らの有体物又は電子生物から他の有体物又は電子生物へ伝達される、自らの有体物又は電子生物の思想、感情若しくは意思を含まない、自らの有体物又は電子生物若しくはそのユーザーに関する事実又はそれを示す情報」、又は（ｃ）ジャンケン・ゲームにおけるグー、チョキ及びパーのいずれか１つ、又はＡＢＣ３回戦ゲームにおけるＡ、Ｂ及びＣのいずれか１つなどの「自らの有体物又は電子生物から他の有体物又は電子生物へ伝達される、自らの有体物又は電子生物の思想、感情若しくは意思を含まない、何らかの意味を有する単語又はそれを示す情報」を含み、情報の形態又は種類としては、文字、画像、音声又は音響を含む。）を記憶する、記憶しておく、又は予め記憶しておいた内容から特定若しくは取得する伝達情報記憶等手段と、
「自らの有体物又は電子生物の名前若しくは画像（前記名前若しくは画像は、前記伝達情報記憶等手段に記憶されたものであってもよいし、前記伝達情報記憶等手段とは別に記録又は入力されたものであってもよい。）又はそれを示す情報」を乗せた若しくは一体化した電波又は赤外線を、「発信時におけるユーザーによる特別な操作」によることなく自動的に、且つ、近距離無線がカバーする近傍に実際に存在する有体物に、インターネットなどの公衆通信網を介することなく直接に届くように、インターネットなどの公衆通信網を介することなく近距離無線のみにより、発信する第１電波等発信手段と、
「前記伝達情報記憶等手段により特定又は取得された情報又はそれを示す若しくはそれから得られた情報であって、『自らの有体物又は電子生物が主体となって相手方である他の有体物又は電子生物に向けて伝達する伝達情報』としての一つ若しくは複数の伝達情報、又はそれを示す若しくはそれから得られた情報」を乗せた若しくは一体化した電波又は赤外線（この「電波または赤外線」は、前記伝達情報等を前記名前若しくは画像又はそれを示す情報と一緒に乗せた若しくは一体化した「電波または赤外線」であってもよいし、前記伝達情報等を前記名前若しくは画像又はそれを示す情報は含まないように乗せた若しくは一体化した「電波または赤外線」であってもよい。）を、「発信時におけるユーザーによる特別な操作」によることなく自動的に、且つ、近距離無線がカバーする近傍に実際に存在する有体物にインターネットなどの公衆通信網を介することなく直接に届くように、インターネットなどの公衆通信網を介することなく近距離無線のみにより、発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい。）と、
他の有体物から近距離無線のみにより発信された前記のような電波又は赤外線（この「電波または赤外線」は、前記伝達情報等と前記名前若しくは画像又はそれを示す情報とを一緒に乗せた若しくは一体化した「電波または赤外線」であってもよいし、前記伝達情報等と前記名前若しくは画像又はそれを示す情報とを別々に乗せた若しくは一体化した各「電波または赤外線」であってもよい。）を、インターネットなどの公衆通信網を介することなく近距離無線のみにより直接に、受信する電波等受信手段と、
を備えたことを特徴とする、ユーザーにより携帯可能なタイプの、ペット型又は漫画等のキャラクタ型の有体物。